(57)【要約】【課題】戸外のサイクリングの自然な感じをより再現するために追加の運動範囲を提供することである。【解決手段】支持面の上に取り付けられる自転車エクササイズ装置（１０）は、エクササイズする人を動作可能に支持する自転車トレーナ装置（１２）を含む。また、相対運動許容アセンブリ（１６、２０、２４）は、面によって支持され、かつ自転車トレーナ装置を支持し、かつ自転車トレーナ装置と面との間の相対運動を許容するように構成される。【選択図】図１
2009507612.tif 000002
【特許請求の範囲】
【請求項１】
支持面上に取り付けられる自転車エクササイズ装置であって、
（ａ）エクササイズする人を動作可能に支持する自転車トレーナ装置と、
（ｂ）前記面によって支持され、かつ前記自転車トレーナ装置を支持し、かつ前記自転車トレーナ装置と前記面との間の相対運動を許容する、相対運動許容アセンブリとを含む自転車エクササイズ装置。
【請求項２】
前記自転車トレーナ装置が、自転車を使用する自転車トレーナを含む請求項１に記載の自転車エクササイズ装置。
【請求項３】
前記自転車トレーナ装置が、１組の自転車ローラを含む請求項２に記載の自転車エクササイズ装置。
【請求項４】
前記自転車トレーナ装置が、基本のトレーナを含む請求項２に記載の自転車エクササイズ装置。
【請求項５】
前記相対運動許容アセンブリが、前記自転車トレーナ装置に取り付けられた１組の車輪を含み、前記自転車トレーナ装置が使用されている間、前記車輪が相対運動を可能にする請求項１に記載の自転車エクササイズ装置。
【請求項６】
前記相対運動許容アセンブリが、前記面に載っており、かつ前記自転車トレーナ装置を動作可能に支持するフレームを含む請求項１に記載の自転車エクササイズ装置。
【請求項７】
前記相対運動許容アセンブリが、前記フレームと前記自転車トレーナ装置との間に挿入された１組の回転可能要素を含む請求項６に記載の自転車エクササイズ装置。
【請求項８】
前記回転可能要素が、前記自転車トレーナ装置上に取り付けられた車輪である請求項７に記載の自転車エクササイズ装置。
【請求項９】
自転車ローラであって、
（ａ）フレームと、
（ｂ）前記フレーム内に取り付けられかつ２つの横の端部をもつ前部ローラと、
（ｃ）前記フレーム内に取り付けられた１対の後部ローラと、
（ｄ）前記前部ローラの両方の横の端部に隣接した前記フレーム上に取り付けられた１対のバンパ／ローラと、を含み、前記バンパ／ローラは、水平に回転可能なように取り付けられ、それによって前記自転車の車輪の回転を停止しないようにしながら、前記前部ローラによって支持された自転車の車輪が前記ローラから横に外れて移動しないように作用する、
自転車ローラ。
【請求項１０】
自転車ローラであって、
（ａ）フレームと、
（ｂ）前記フレーム内に取り付けられた前部ローラと、
（ｃ）前記フレーム内に取り付けられた１対の後部ローラと、
（ｄ）前記前部ローラの前方で上方に、前記フレーム上に取り付けられた第１の回転可能なバンパ／ローラと、
（ｅ）前記１対の後部ローラの後方で上方に、前記フレーム上に取り付けられた第２の回転可能なバンパ／ローラと、を含み、
（ｆ）前記第１および第２の回転可能なバンパ／ローラが、前記自転車の車輪の回転にブレーキをかけずに、所定の位置から前または後に動いた自転車の車輪を拘束するように作用する自転車ローラ。
【発明の詳細な説明】
【技術分野】
【０００１】
本発明は、一般に、運動用トレーニング装置の分野、より詳細には、自転車に乗るトレ−ニング装置の分野に関する。
【背景技術】
【０００２】
「自転車ローラ」として知られている自転車トレーニング装置は、１００年を越えて利用可能であった。この装置は、フレームによって支持された３つのローラからなる。使用においては、自転車の後輪は、２つの比較的接近して間隔を置かれた（約２０ｃｍ）ブラケット式ローラ上に置かれ、前輪は第３ローラの上部でバランスがとられる。この装置は、使用者が自転車のバランスをとりそれを（ある範囲で）操縦し、かつ望みの任意の速さでペダルをこぐことを可能にする。残念ながら、ペダルをこぐ速度および乗り手の位置の急速な変化により、後輪がそのブラケット式ローラから外に飛び出すことが簡単に起きるので、使用者が、どれだけ激しくエクササイズできるかについては制約される。さらに、厳しく制約された自転車は、乗り手の自然な運動を妨げるように作用し、幾分乗り心地がよくない。
【発明の開示】
【発明が解決しようとする課題】
【０００３】
本発明の原則の目的は、戸外のサイクリングの自然な感じをより再現するために追加の運動範囲を提供することである。
【０００４】
本発明の以下の実施形態および態様は、範囲において限定するものではなく、例示的で説明的であることを意図するシステム、ツールおよび方法と共に説明され図示される。様々な実施形態において、１つまたは複数の上述の問題は、軽減されまたは取り除かれ、一方で、他の実施形態は他の改良に向けられる。
【課題を解決するための手段】
【０００５】
第１の独立した態様では、本発明は、支持面の上に取り付けられるように構成され、かつエクササイズする人を動作可能に支持するように構成された自転車トレーナ装置を含む自転車エクササイズ装置の形をとることができる。また、相対運動許容アセンブリは、面によって支持され、かつ自転車トレーナ装置を支持し、かつ自転車トレーナ装置と面との間の相対運動を許容するように構成される。
【０００６】
第２の独立した態様では、本発明は、フレームと、それぞれが２つの横の端部をもつフレーム内に取り付けられた前部および後部ローラとを含む自転車ローラの形をとることができる。また、１対のバンパ／ローラは、前部ローラの両側に隣接したフレーム上に取り付けられる。それらは、水平に回転可能なように取り付けられ、それによって、自転車の車輪の回転を停止しないようにしながら、前部ローラによって支持された自転車の車輪がローラから横に外れて移動することを防止するように作用する。
【０００７】
第３の独立した態様では、本発明は、フレームと、フレーム内に取り付けられた前部および後部ローラとを含む自転車ローラの形をとることができる。また、第１の回転可能なバンパ／ローラは、前部ローラの前方で上方に、フレーム上に取り付けられ、第２の回転可能なバンパ／ローラは、１対の後部ローラの後方で上方に、フレーム上に取り付けられる。第１および第２の回転可能なバンパ／ローラは、自転車の車輪の回転にブレーキをかけずに、所定の位置から前と後に動いた自転車の車輪を拘束するように作用する。
【０００８】
上で説明された例示的態様および実施形態に加えて、さらなる態様および実施形態が、図面を参照し、以下の詳細な説明を検討することによって、明らかになるであろう。
【０００９】
例示的実施形態が、図面の参照された図で説明される。本明細書で開示された実施形態および図面は、限定的なではなく説明的であると考えられるものである。
【発明を実施するための最良の形態】
【００１０】
図１を参照して、トレーニング・アセンブリ１０は、車輪１６によって支持されたローラ・フレーム１４を含む１組の自転車ローラ１２を含む。次に、ローラ１２は、アセンブリ・フレーム２０によって拘束され、アセンブリ・フレーム２０はまた車輪１６用の１対のトラック２２（１つのみを図示）を備え、それによってローラ１２とアセンブリ・フレーム２０との間の相対運動を可能にする。さらに、軽いばね装置２４は、乗り手の行動が、プラスまたはマイナスの移動を生み出すときはいつでも、ストロークの中央にゆるやかにローラ（および乗り手）を戻すように作用し、それによって、中心点から等しい量だけ前方および後方の移動を可能にする。好ましくは、ゴム弾性の線形要素（バンジー）などの振動減衰ばねが、ばね２４用に使用される。
【００１１】
別の好ましい実施形態では、使用中に、支持面に対して前後の移動が可能であるような固定式のエクササイズ自転車が取り付けられる。本出願の文脈で、用語「自転車を使用する自転車トレーナ」は、使用に先立って、実際の自転車がその中に設置される任意の装置である。これは、自転車ローラと、普通のまたは基本のトレーナとの両方を含むが、エクササイズ自転車は含まない。
【００１２】
自転車ローラ１２などの自転車トレーニング装置がその中に設置されるフレーム２０を提供することは、車輪１６が回転するための滑らかな、固い面を提供し、乗り手の運動がローラ１２を前または後に引いたとき、フレーム２０の中心にローラ１２をゆるやかに戻すばねを繋ぐこと可能にする。しかし、別の好ましい実施形態では、フレーム２０は存在せず、車輪１６を備える自転車ローラ１２は、コンクリートまたはセメント面などの固い、滑らかな面に設置される。車輪１６が高分子材料から作られた場合、ローラ１２を、床を損傷することなく、木の床の上にさえ設置することができる。さらに、車輪１６をその意図された用途のために構成することができる。例えば、空気入りタイヤを、アスファルト面のためのローラ１２の使用のために使うことができる。この実施形態では、ローラ１２を初期位置に戻すためのばねは存在しないが、実際には、それほど大きな移動はなく、ローラ１２より少し長い舗装された領域が、車輪付きローラ１２での自転車の乗り手のトレーニングに対応することができる。
【００１３】
ローラ１２に取り付けられた自転車の前輪２８は、１対の水平に取り付けられ回転するローラ３０によって、ローラ１２から滑りおちることを防止される。ローラ３０は回転可能であるので、前輪２８の回転を停止させることなく拘束する。ローラ１２から滑りおちることは、事故を引き起こすことがあり潜在的に自転車の乗り手に怪我をさせるおそれがある。同様に、前部および後部の回転可能なローラ／バンパ３２は、前および後の自転車の車輪２８および２６が意図された位置から前または後にローラ１２を移動するとき、さらなる移動を防止する。ローラ／バンパ３２は、車輪２８および２６をそれらの意図された位置にゆるやかに戻すように作用する。
【００１４】
別の好ましい実施形態では、車輪１６は、乗り手と、アセンブリ１０または他の同様のアセンブリが載っている面との間で、前方および後方への運動を可能にするようなアセンブリを可能にする何か他の相対運動によって置き換えられる。これらの好ましい実施形態は、フレーム２０が提供されないで、車輪１６が、床またはパティオなど何か利用できる面の上に置かれる場合を含む。この実施形態では、車輪１６を、大きくし、ならびに／または空気入りタイヤを備えることができる。他の実施形態は、アセンブリを可能にする相対運動が、フレーム２０などのフレームを含むが、車輪１６が、トレーナ装置１２に下向きにではなく、フレーム２０に上向きに取り付けられる場合を含む。あるいは、２０および１２上の滑り面が、相対運動を与えることもでき、またはおそらく玉溝の中の玉軸受が、フレーム２０などのフレームと、トレーナ装置１２などのトレーナ装置との間で、相対運動を与えることもできる。
【００１５】
トレーニング・アセンブリ１１０の別の好ましい実施形態では、基本のトレーナ１１２が車輪１１６上に置かれ、トラック１２２上を移動するようにフレーム１２０内に取り付けられ、ばね１２４によって中央に戻される。トレーナ１１２は自転車１２６を横方向に対して直立して保ち、後輪１３０に対する耐性を与える。スツール１４０が、回転しないで後輪１３０と同じ拘束された方法で並進する前輪１２８のために提供される。
【００１６】
本発明は運動用トレーニング装置の分野に工業的な応用可能性をもつ。
【００１７】
多数の例示的な態様および実施形態が上で議論されたが、当分野の技術者は、いくつかの変更、変形、追加およびそれらの部分的な組み合わせを認めるであろう。したがって、以下の添付の請求の範囲およびその後に紹介された請求の範囲は、それらの真の趣旨および範囲内にあるので、そのような変更、変形、追加およびそれらの部分的な組み合わせを含むと解釈されるものとする。
【図面の簡単な説明】
【００１８】
【図１】本発明の好ましい別の実施形態による自転車トレーニング・アセンブリの側面図である。
【図２】本発明の別の好ましい実施形態による自転車トレーニング・アセンブリの側面図である。
【図１】
2009507612.tif 000003
【図２】
2009507612.tif 000004
【国際調査報告】
2009507612.tif 000005
2009507612.tif 000006
2009507612.tif 000007